(57)【要約】【課題】通気性の非常に優れた桐材と、杉材の優れた特性を併せ備えることにより、乾燥性に優れ、且つ意匠性などにも優れた収納家具を提供する。【解決手段】上面板１１、底面板１３、側面板１２，１２’、正面板１０、及び背面板１４を有しており、各板１０，１１，１２，１３，１４の少なくとも１つが、桐材１と杉材２とを重ね合わせた積層木材５によって構成されており、桐材１と杉材２とを接着する接着剤を、積層木材５の通気性を保持し得るよう塗布すると共に、杉材２を、表面側に配した。【選択図】図１
2005271533.tif 000002
【特許請求の範囲】
【請求項１】
上面板、底面板、側面板、正面板、及び背面板を有する収納家具において、前記各板の少なくとも１つが、桐材と杉材とを重ね合わせた積層木材によって構成されており、前記桐材と前記杉材とを接着する接着剤を、前記積層木材の通気性を保持し得るよう塗布すると共に、前記杉材を、前記収納家具の表面側に配したことを特徴とする収納家具。
【請求項２】
前記桐材と前記杉材とを重ね合わせる面の少なくとも周囲部分に、前記接着剤が塗布されていることを特徴とする請求項１に記載の収納家具。
【請求項３】
前記各板の少なくとも正面板を、前記積層木材によって構成することを特徴とする請求項１又は２に記載の収納家具。
【発明の詳細な説明】
【技術分野】
【０００１】
本発明は、衣類や小物などを整理保管し、特に、箪笥や茶箱など通気性・乾燥性を必要とする収納家具に関する。
【背景技術】
【０００２】
従来より、衣類やお茶などの乾燥性を必要とする小物を収納する家具は、総桐材で形成されていた（例えば、特許文献１参照）。桐材は、通気性や吸湿性に優れ、且つ軽量であるので、乾燥性を要する収納家具に非常に適した材料である。
【０００３】
ところで、椅子や食器棚などの家具は、杉材を用いて形成されている。この杉材は、桐材に比して通気性などに劣るが、頑丈であり意匠性にも優れているので、家具に用いる材料として非常に適している。又、杉は抗菌作用が少ないので、人間にとって必要な菌を繁殖させることができ、近年においては健康面においても注目され、乾燥性を要する収納家具においても要望されている。
【０００４】
又、乾燥性を要する収納家具として、例えば特許文献２に掲載された収納家具も知られている。この収納家具は、発泡プラスチックスを芯材とし、この芯材を合板でサンドイッチ状に積層形成した板を使用したものであって、気密性と断熱性を向上させるようにしている。これによれば、合板を杉材とすれば、杉材の特性を有する乾燥性に優れた収納家具を形成することができる。
【特許文献１】実用新案登録第３０７９３３２号公報
【特許文献２】特開平１１−１１３６５４号公報
【発明の開示】
【発明が解決しようとする課題】
【０００５】
ところが、前記した特許文献２のような収納家具では、外部の湿気が内部に及び難いように構成されているので、気密性に優れており、内部と外部との温度差が大きいときは、内面に結露が生じて収納した物が湿ることがある。
【０００６】
本発明は、前記した事情に鑑みて、通気性の非常に優れた桐材と、杉材の優れた特性を併せ備えることにより、乾燥性に優れ、且つ意匠性などにも優れた収納家具を提供することを目的とする。
【課題を解決するための手段】
【０００７】
本発明に係る収納家具は、上面板、底面板、側面板、正面板、及び背面板を有する収納家具において、各板の少なくとも１つが、桐材と杉材とを重ね合わせた積層木材によって構成され、桐材と杉材とを接着する接着剤を、積層木材の通気性を保持し得るよう塗布すると共に、杉材を、収納家具の表面側に配したことを特徴とする。
【０００８】
この収納家具において、好ましくは、桐材と杉材との重ね合わせ面の少なくとも周囲部分に、接着剤が塗布されていることを特徴とする。又、各板の少なくとも正面板を、積層木材によって構成しても良い。
【発明の効果】
【０００９】
前記したように、桐材と杉材とを重ね合わせた積層木材を用いることにより、桐材の特性と、杉材の特性とを併せ備えた収納家具を構成することができる。この積層木材によれば、桐材と杉材とを接着する接着剤を、通気性を保持し得るよう塗布しているので、桐材の優れた通気性を損なうことがない。そして、桐材は優れた吸湿作用を有するので、この桐材を、収納家具の内側に配することにより、収納家具内を効果的に乾燥させる得る。又、杉材を収納器具の表面側に配することにより、杉材の意匠的効果や健康作用を発揮させることができる。
【００１０】
更に、好ましくは、桐材と杉材との重ね合わせ面の少なくとも周囲部分に、接着剤を塗布することにより、積層木材を構成する桐材と杉材とが分離し難くなるので、収納家具の耐久性を向上させることができる。
【００１１】
そして、収納家具の正面板を積層木材とすることにより、常時使用者などが観察する部分に、杉材を配置することができるので、収納家具の意匠性を向上させることができる。
【００１２】
以上のように、本発明に係る収納家具によれば、桐材の優れた通気性及び吸湿性を備えると共に、杉材の意匠的効果や健康作用なども備えることができる。
【発明を実施するための最良の形態】
【００１３】
以下、添付図面に基づいて、本発明に係る収納家具について詳細に説明する。
【００１４】
図１及び図２は、本発明に係る収納家具を示しており、図１は箪笥の例であって、図２は茶箱の例である。図１のＡは箪笥の正面図、図１のＢはその縦断面図である。図２のＡは茶箱の斜視図、図２のＢはその縦断面図である。図３は、積層木材を示しており、図３のＡは側面図、図３のＢはＡに示すＩ−Ｉ線断面図である。
【００１５】
図１及び図２の如く、本発明に係る収納家具は、上面板１１、側面板１２，１２’、底面板１３、正面板１０、及び背面板１４を備えている。本発明の第１実施例である箪笥は、図１の如く、四段の引出し部１５を有している。この箪笥では、上面板１１、側面板１２，１２’、底面板１３、及び背面板１４が、夫々桐材で形成されている。更に、箪笥内に水平方向に設けられ、各引出し部１５を保持する棚板１６も、桐材によって形成されている。各引出し部１５は、前面に正面板を有しており、これら正面板によって、箪笥の正面板１０が構成されることとなる。そして、各引出し部１５の正面板は、積層木材５によって形成されている。
【００１６】
本発明の第２実施例である茶箱は、図２の如く、ヒンジを介して片開きする正面板１０を有している。この茶箱も、前記した箪笥と同様、上面板１１、側面板１２、底面板１３、及び背面板１４が、夫々桐材で形成されており、内部に設けられた棚板１６も桐材で形成されている。そして、正面板１０が、積層木材５で形成されている。
【００１７】
図３Ａの如く、積層木材５は、桐材１と、杉材２とを重ね合わせて積層状に構成したものである。本実施例の積層木材５は、桐材１の厚みが約９ｍｍ、杉材２の厚みが約１２ｍｍで構成されており、桐材１及び杉材２を重ね合わせて、接着剤３で結合することにより形成されている。この接着剤３は、例えばエマルジョン系接着剤であるが、エポキシ系接着剤などを使用しても良い。このような接着剤３は、接着性と共に気密性も有しているので、仮に、桐材１と杉材２の重ね合わせ面の全面に接着剤を塗布すると、この接着剤が気密層となり、積層木材５の通気性が損なわれることとなる。
【００１８】
そこで、本発明の積層木材５は、図３のＢの如く、桐材１と杉材２との重ね合わせ面２０の周囲部分に、幅が約５ｃｍからなる帯状の接着剤３を塗布し、更に中央部分にも、水平方向に帯状の接着剤３’を塗布することにより、桐材１と杉材２とを積層状に結合している。このように、接着剤３を、所定間隔を設けて塗布することにより、積層木材５の通気性を確保することができる。又、積層木材５の重ね合わせ面２０の周囲部分を、接着剤３によって結合することにより、分離し難く優れた耐久性を有することができる。
【００１９】
そして、この積層木材５の杉材２を、箪笥や茶箱の表面側に配置することにより、収納家具の使用者は杉材２を観察することができるので、杉材２の有する優れた意匠的効果を発揮することができる。また、積層木材５の桐材１を、収納家具の内側に配することにより、桐材の吸湿作用で、収納家具内を効果的に乾燥させることができる。
【００２０】
前記した実施例の収納家具は、積層木材５を、収納家具の正面板１０に用いたものであるが、上面板１１、側面板１２、底面板１３、及び背面板１４にも適宜使用することができる。例えば、茶箱などのように、比較的小形の収納家具であれば、使用者は、側面板１２なども良く観察するので、正面板１０だけではなく側面板１２などにも積層木材５を使用すれば、さらに杉材２の意匠的作用を発揮させることができる。また、収納家具は、箪笥や茶箱だけでなく、下駄箱や乾物入れなどにも適用できる。
【図面の簡単な説明】
【００２１】
【図１】図１は本発明に係る収納家具の箪笥の例を示しており、Ａは正面図、Ｂは縦断面図である。
【図２】図２は本発明に係る収納家具の茶箱の例を示しており、Ａは斜視図、Ｂは縦断面図である。
【図３】図３は、積層木材を示しており、Ａは側面図、ＢはＡに示すＩ−Ｉ線断面図である。
【符号の説明】
【００２２】
１  桐材
２  杉材
３  接着剤
５  積層木材
１０  正面板
１１  上面板
１２  側面板
１３  底面板
１４  背面板
２０  積層木材の重ね合わせ面
【図１】
2005271533.tif 000003
【図２】
2005271533.tif 000004
【図３】
2005271533.tif 000005